(57)【特許請求の範囲】
【請求項１】
建物の床下地の上に複数の畳を敷設すると共に、これら複数の畳を敷設する畳敷設箇所の外周を囲んで畳周辺部材を設置する建物の床施工方法であって、
前記畳敷設箇所の外周を囲んで、前記床下地に仮枠を設置する仮枠設置工程と、
前記仮枠内に前記畳を仮置きする畳仮置き工程と、
仮置きした前記畳どうしの間の隙間及び前記畳と前記仮枠との間の隙間の寸法を測定し、前記隙間の寸法から、前記仮枠の設置位置に対する前記畳敷設箇所の外周縁の正規位置を示す矯正値を求める隙間測定工程と、
仮置きした前記畳及び前記仮枠を、前記床下地から取り外す取外工程と、
前記仮枠の設置位置と前記矯正値とに基づいて、前記畳敷設箇所の外周縁の正規位置に畳周辺部材を設置する畳周辺部材設置工程と、
前記畳周辺部材で囲まれた前記畳敷設箇所に前記畳を本設置する畳本設置工程と、
を備えていることを特徴とする建物の床施工方法。
【請求項２】
前記隙間測定工程では、前記畳の縦横に沿う方向の間隔である縦方向隙間及び横方向隙間の寸法と各隙間の基準値との差を、それぞれ縦方向と横方向とで合計した値を、それぞれ縦方向と横方向の矯正値とすることを特徴とする請求項１に記載の建物の床施工方法。
【請求項３】
前記畳仮置き工程では、前記仮枠においてあらかじめ設定されたコーナー部である基準コーナー部に近い位置から前記畳を仮置きし、
前記畳周辺部材設置工程では、前記基準コーナー部を囲む２辺に配置する前記畳周辺部材は、前記仮枠と同一位置に配置し、前記基準コーナー部の対角である対角コーナー部を囲む残りの２辺に配置する前記畳周辺部材を、前記仮枠の設置位置に対して前記矯正値の分だけずらして配置することを特徴とする請求項１または請求項２に記載の建物の床施工方法。
【請求項４】
前記仮枠設置工程には、前記畳敷設箇所において、前記床下地に対する前記畳上面高さを調整するための捨貼合板を前記床下地上に設置する工程が含まれ、
前記仮枠設置工程では、
まず、前記仮枠を、前記基準コーナー部を囲む２辺に配置し、
次に、前記捨貼合板を、前記２辺の前記仮枠に突き当てて配置し、
さらに、前記捨貼合板の前記対角コーナー部を囲む残りの２辺側では、その外周端縁が前記畳敷設箇所の外周縁に配置されるよう寸法調節を行い、
その後、前記残りの２辺の位置に配置する前記仮枠を、前記捨貼合板の前記残りの２辺の外周端縁に当接させて設置し、
前記畳周辺部材設置工程では、
まず、前記捨貼合板の前記残りの２辺の外周端縁位置が、前記矯正値の分だけずらした位置となるように寸法調整あるいは位置調整した後に、前記捨貼合板を前記床下地に固定し、
次に、前記畳周辺部材を、前記捨貼合板の外周端縁に当接させて、前記畳敷設箇所を囲む四周に設置することを特徴とする請求項３に記載の建物の床施工方法。
【発明の詳細な説明】
【技術分野】
【０００１】
本発明は、建物の床施工方法に関し、特に、床下地の上に畳を敷設すると共に、畳敷設箇所の外周に沿ってフローリングや見切材といった畳周辺部材を敷設する床施工方法に関する。
【背景技術】
【０００２】
従来、床下地の上に畳を敷設すると共に、畳敷設箇所の外周に沿ってフローリングや見切材などの畳周辺部材を敷設した床構造が知られている（例えば、特許文献１参照）。
また、この特許文献１には、床下地の上に畳を敷設し、次に、その外周に第１の畳周辺部材としての見切材を固定し、その後、見切材の外周に第２の畳周辺部材としての遮音フローリング材を設置する施工方法が記載されている。
【先行技術文献】
【特許文献】
【０００３】
【特許文献１】特開２００６−２４１７０４号公報
【発明の概要】
【発明が解決しようとする課題】
【０００４】
しかしながら、上述のように畳の敷設後にその外周に見切材などの畳周辺部材を固定する施工方法では、畳どうし、畳と畳周辺部材の密着度を十分得ることが難しく、畳どうしの間、並びに畳と見切材との間の隙間が大きくなって仕上がり品質の低下を招くおそれがあった。さらに、このように上記隙間が大きくなった場合、再度、隙間を調整する作業が必要になり、施工手間が増す。特に、畳として工場などで大量に生産される規格畳を用いた場合、畳個々が仕上がり寸法誤差を有しており、かつ、施工現場による寸法調整が難しいため、上記問題が生じ易い。
また、上記施工方法とは逆に、先に、床下地に見切材を枠状に設置し、その後、畳を敷設する方法では、上記問題に加え、畳が見切材で形成した枠内に納まりきれない不具合が生じるおそれもあった。この場合も、見切材の位置の調整など施工手間がさらに増す。
【０００５】
本発明は、上述の問題を解決することを目的とするものであり、畳の敷設箇所の外周に畳周辺部材を設置する床構造において、畳相互間並びに畳と畳周辺部材との隙間の管理性を高め仕上がり品質の向上を図ることが可能であり、かつ、施工性に優れる建物の床施工方法を提供することを目的としている。
【課題を解決するための手段】
【０００６】
上記目的を達成するために、本発明は、
建物の床下地の上に複数の畳を敷設すると共に、これら複数の畳を敷設する畳敷設箇所の外周を囲んで畳周辺部材を設置する建物の床施工方法であって、
前記畳敷設箇所の外周を囲んで、前記床下地に仮枠を設置する仮枠設置工程と、
前記仮枠内に前記畳を仮置きする畳仮置き工程と、
仮置きした前記畳どうしの間の隙間及び前記畳と前記仮枠との間の隙間の寸法を測定し、前記隙間の寸法から、前記仮枠の設置位置に対する前記畳敷設箇所の外周縁の正規位置を示す矯正値を求める隙間測定工程と、
仮置きした前記畳及び前記仮枠を、前記床下地から取り外す取外工程と、
前記仮枠の設置位置と前記矯正値とに基づいて、前記畳敷設箇所の外周縁の正規位置に畳周辺部材を設置する畳周辺部材設置工程と、
前記畳周辺部材で囲まれた前記畳敷設箇所に前記畳を本設置する畳本設置工程と、
を備えていることを特徴とする建物の床施工方法とした。
【０００７】
なお、本発明の建物の床施工方法において、
前記隙間測定工程では、前記畳の縦横に沿う方向の間隔である縦方向隙間及び横方向隙間の寸法と各隙間の基準値との差を、それぞれ縦方向と横方向とで合計した値を、それぞれ縦方向と横方向の矯正値とすることが好ましい。
また、前記畳仮置き工程では、前記仮枠においてあらかじめ設定されたコーナー部である基準コーナー部に近い位置から前記畳を仮置きし、
前記畳周辺部材設置工程では、前記基準コーナー部を囲む２辺に配置する前記畳周辺部材は、前記仮枠と同一位置に配置し、前記基準コーナー部の対角である対角コーナー部を囲む残りの２辺に配置する前記畳周辺部材を、前記仮枠の設置位置に対して前記矯正値の分だけずらして配置することが好ましい。
また、前記仮枠設置工程には、前記畳敷設箇所において、前記床下地に対する前記畳上面高さを調整するための捨貼合板を前記床下地上に設置する工程が含まれ、
前記仮枠設置工程では、
まず、前記仮枠を、前記基準コーナー部を囲む２辺に配置し、
次に、前記捨貼合板を、前記２辺の前記仮枠に突き当てて配置し、
さらに、前記捨貼合板の前記対角コーナー部を囲む残りの２辺側では、その外周端縁が前記畳敷設箇所の外周縁に配置されるよう寸法調節を行い、
その後、前記残りの２辺の位置に配置する前記仮枠を、前記捨貼合板の前記残りの２辺の外周端縁に当接させて設置し、
前記畳周辺部材設置工程では、
まず、前記捨貼合板の前記残りの２辺の外周端縁位置が、前記矯正値の分だけずらした位置となるように寸法調整あるいは位置調整した後に、前記捨貼合板を前記床下地に固定し、
次に、前記畳周辺部材を、前記捨貼合板の外周端縁に当接させて、前記畳敷設箇所を囲む四周に設置することが好ましい。
【発明の効果】
【０００８】
本発明の建物の床施工方法では、畳敷設箇所の外周を囲んで設置した仮枠内に、畳を仮置きし、このときの畳どうし間及び畳と畳周辺部材との隙間の寸法を測定して矯正値を求め、この矯正値に基づいて畳周辺部材を正規位置に設置し、その後、正規位置に配置した畳周辺部材の内側に畳を本設置するようにした。
したがって、畳の敷設の後に見切材を設置する場合と比較して、畳どうし及び畳と畳周辺部材との間の隙間が、設定値よりも大きくならないようにできる。また、畳周辺部材を正規位置に配置できるため、先に畳周辺部材を固定しても、畳周辺部材どうしの間隔が狭くなって畳を入れることができない不具合も生じることがない。
よって、畳相互間並びに畳と畳周辺部材との隙間の管理性を高め仕上がり品質の向上を図ることができ、かつ、施工性にも優れる。
【０００９】
また、隙間測定工程において、畳の縦横に沿う方向の間隔である縦方向隙間及び横方向隙間の寸法と各隙間の基準値との差を、それぞれ縦方向と横方向とで合計した値を、それぞれ縦方向と横方向の矯正値とするものでは、下記の効果を得ることができる。
すなわち、仮枠の設置時の位置精度は低くて済みながら、これを基準として畳周辺部材の適正な設置位置を簡単に正確に求めることができる。そして、これら矯正値により、対向して配置される畳周辺部材の正規の間隔を仮枠の設置位置を基準として求めることができる。
【００１０】
また、畳仮置き工程において、前記仮枠においてあらかじめ設定されたコーナー部である基準コーナー部に近い位置から前記畳を仮置きし、畳周辺部材設置工程において、前記基準コーナー部を囲む２辺に配置する前記畳周辺部材は、前記仮枠と同一位置に配置し、前記基準コーナー部の対角である対角コーナー部を囲む残りの２辺に配置する前記畳周辺部材を、前記仮枠の設置位置に対して前記矯正値の分だけずらして配置するものでは、下記の効果を得ることができる。
すなわち、畳敷設箇所の四周を囲む畳周辺部材のうち、位置を調整するのが２辺に配置するものだけで済むので、四周の全ての畳周辺部材の位置を調整するのと比較して、作業性に優れる。
【００１１】
また、前記仮枠設置工程には、前記畳敷設箇所において、前記床下地に対する前記畳上面高さを調整するための捨貼合板を前記床下地上に設置する工程が含まれ、前記仮枠設置工程では、まず、前記仮枠を、前記基準コーナー部を囲む２辺に配置し、次に、前記捨貼合板を、前記２辺の前記仮枠に突き当てて配置し、さらに、前記捨貼合板の前記対角コーナー部を囲む残りの２辺側では、その外周端縁が前記畳敷設箇所の外周縁に配置されるよう寸法調節を行い、その後、前記残りの２辺の位置に配置する前記仮枠を、前記捨貼合板の前記残りの２辺の外周端縁に当接させて設置し、前記畳周辺部材設置工程では、まず、前記捨貼合板の前記残りの２辺の外周端縁位置が、前記矯正値の分だけずらした位置となるように寸法調整あるいは位置調整した後に、前記捨貼合板を前記床下地に固定し、次に、前記畳周辺部材を、前記捨貼合板の外周端縁に当接させて、前記畳敷設箇所を囲む四周に設置した場合、下記の効果を得ることができる。
すなわち、畳周辺部材の設置の際には、畳周辺部材を、捨貼合板の外周端縁に当接させて設置するだけで正規位置に設置することができ、床下地に対する位置を計測や調整しながら設置する作業が不要であり作業性に優れる。
しかも、このような良好な作業性を得るのに、床下地に対する畳の表面高さを調節する捨貼合板を利用しているため、畳周辺部材の位置を調整するための部材を別途設定するのと比較して、コスト的に有利である。
【図面の簡単な説明】
【００１２】
【図１】図１は、本発明の実施の形態の建物の床施工方法における畳本設置工程の終了直前の床構造を示す斜視図である。
【図２】図２は、実施の形態の建物の床施工方法における仮枠設置工程の実施前の時点の状態を示す平面図である。
【図３】図３は、実施の形態の建物の床施工方法における仮枠設置工程において、基準コーナー部に２本の木桟を仮固定する作業を説明するための斜視図である。
【図４】図４は、実施の形態の建物の床施工方法における仮枠設置工程において、捨貼合板の設置途中の状態を示す斜視図である。
【図５】図５は、実施の形態の建物の床施工方法における仮枠設置工程において、捨貼合板の設置後に、残りの２本の木桟を設置する過程を示す平面図である。
【図６】図６は、実施の形態の建物の床施工方法における畳仮置き工程及び隙間測定工程を示す斜視図である。
【図７】図７は実施の形態の建物の床施工方法における隙間測定工程を説明するための要部を拡大した平面図である。
【図８】図８は、実施の形態の建物の床施工方法における畳周辺部材設置工程の途中過程を説明するための平面図である。
【図９】図９は、実施の形態の建物の床施工方法における畳周辺部材設置工程の途中過程を説明するための斜視図である。
【図１０】図１０は、実施の形態の建物の床施工方法の畳周辺部材設置工程を説明するための一部を切断した状態の斜視図である。
【図１１】図１１は、実施の形態の建物の床施工方法における畳周辺部材設置工程の途中過程を示す斜視図である。
【図１２】図１２は、実施の形態の建物の床施工方法に用いる畳を示す図であり（ａ）は畳の端縁部の断面図であり、（ｂ）は畳の平面図である。
【発明を実施するための形態】
【００１３】
以下、本発明の実施の形態の建物の床施工方法について、添付図面を参照しながら説明する。
この実施の形態の建物の床施工方法を説明するのにあたり、まず、この施工方法を適用する床の構造について図１に基づいて簡単に説明する。
【００１４】
図１は、実施の形態の建物の床施工方法により施工された床構造を示す斜視図である。この床構造は、部屋ＲＭの床ＦＬの外周にフローリング材（畳周辺部材）１０と見切材（畳周辺部材）３０とが枠状に設置され、その内側に複数の畳２０が敷設された構造となっている。なお、見切材３０は、枠全体を指す場合の符号は３０と標記するが、特に、設置位置に応じて特定のものを指す場合には符号３０の後に（ａ）（ｂ）（ｃ）（ｄ）を付して区別する。
【００１５】
畳２０は、工場においてあらかじめ決められた寸法に形成された規格品である規格畳を用いており、本実施の形態では、畳２０として、図１２（ｂ）に示すように、Ｌ１＝Ｌ２の半畳タイプのものを用いている。
また、畳２０は、図１２（ａ）に示すように、芯材２１の表面に上側クッション材２２と畳表２３とを順次積層し、芯材２１の裏面に段差調整材２４ａ及び下側クッション材２４を積層して形成されている。なお、下側クッション材２４の外周縁部は、畳表２３の折返し部分に対し、端縁が露出しないように接着テープ２５で覆われた状態で接着されている。
芯材２１としては、例えば、ミディアムデンシティファイバーボードと呼ばれる、木材などの植物繊維を原料として合成樹脂接着剤を加え成型熱圧した板や、発泡樹脂板などを用いることができる。
上側クッション材２２及び下側クッション材２４としては、例えば、無架橋ポリオレフィンや架橋ポリオレフィンやポリウレタン、ポリスチレン、エラストマー等の合成樹脂発泡体を用いることができる。また、段差調整材２４ａは、畳表２３と同様の厚みの繊維を含む合成樹脂製のシートである。
畳表２３としては、従来から畳の畳表として使用されている任意の畳表（例えば、イ草、ポリオレフィン系樹脂、和紙などから製造された畳表）を用いることができる。
【００１６】
（床施工方法）
次に、実施の形態による床施工方法を、図面に基づいて順を追って説明する。
＜墨出し工程＞
墨出し工程は、部屋ＲＭの畳２０を敷設する箇所である畳敷設箇所２００の四周を囲む位置に、後述する仮枠４０を設置するための墨出しを行なう工程である。
すなわち、図２に示すように、この時点で部屋ＲＭに露出している床下地５０の表面に対し、部屋ＲＭの内周縁から、フローリング材１０及び見切材３０を設置する寸法ａ，ｂ，ｃ，ｄだけ離した位置に、墨出し線ＬＸ１，ＬＸ２，ＬＹ１，ＬＹ２を引く。
【００１７】
＜仮枠設置工程＞
仮枠設置工程は、床下地５０の表面に仮枠４０を設置する工程である。
仮枠４０は、図５に示す４本の細長い木桟４１，４２，４３，４４を、墨出し線ＬＸ１，ＬＸ２，ＬＹ１，ＬＹ２の外側に沿って四角枠状に設置するもので、まず、図３に示すように、仮枠４０により形成する四角枠のうちの１つのコーナー部である基準コーナー部４０ｃを囲む２辺の位置に２本の木桟４１，４２を仮固定する。
なお、この仮固定には、本実施の形態では、ビス４５を用いるが、その手段はこれに限定されるものではなく、釘などの他の固定具や接着材などを用いることができる。
【００１８】
次に、この仮枠設置工程の途中において捨貼合板６０を設置する。
この捨貼合板６０は、畳敷設箇所２００において、図１０に示すように床下地５０の上に設置する。この捨貼合板６０として、本実施の形態では、５枚の合板６１〜６５を設置する。
この捨貼合板６０の設置にあたって、まず、図４に示すように、木桟４１と木桟４２とにより形成される基準コーナー部４０ｃに近い側に配置され、畳敷設箇所２００の範囲内に全体が収まる２枚の合板６１，６２は、その端縁部を木桟４１，４２に当接させた状態で、床下地５０にフィニッシュネイルなどの固定具６６を用いて固定する。
また、全体が畳敷設箇所２００の範囲内に納まりきれない３枚の合板６３，６４，６５については、墨出し線ＬＸ２，ＬＹ２に重なる位置で切断した上で、その外周端縁を先に固定した合板６１，６２に当接させて床下地５０の上に仮置きする。なお、図４において、各合板６３〜６５の斜線で表示している部分が、切断して切り落とす部分を示しており、非斜線部分を床下地５０の上に仮置きする。
【００１９】
その後、図５に示すように、木桟４３，４４を、墨出し線ＬＸ２，ＬＹ２に沿わせるとともに、合板６３〜６４の外側端縁に当接させて床下地５０に仮固定する。
以上により、仮枠設置工程を終える。
【００２０】
＜畳仮置き工程＞
畳仮置き工程は、仮枠４０の内側に設定された畳敷設箇所２００に畳２０を仮置きする工程である。
この畳仮置き工程では、９枚の畳２０を、図６に示すように、基準コーナー部４０ｃに近い位置から、それぞれ矢印で示すように図において右上方向に向かって押し当てながら順に捨貼合板６０の上に仮置きする。
また、この際、畳２０と畳２０との間に形成される隙間２０１（図７参照）は、畳敷設箇所２００の外周縁に沿う方向である縦横両方向に直線状に並ぶように、各畳２０の配置を入れ替えて調節するのが好ましい。
【００２１】
＜隙間測定工程＞
隙間測定工程は、仮置きを終えた畳２０どうしの間、並びに畳２０と仮枠４０との間に形成される隙間２０１の寸法を測定する工程である。
【００２２】
これらの隙間２０１は、図７に示すように、金尺１００などの測定具を用いて測定する。ここで、図６及び図７に示すように、両図において左右方向をｘ（この方向を、以下、横方向とする）とし、各隙間２０１の寸法をそれぞれ、Ｓｘ１〜Ｓｘ４とする。また、両図において前後方向をｙ（この方向を、以下、縦方向とする）とし、各隙間２０１の寸法をＳｙ１〜Ｓｙ４とする。
【００２３】
そして、各隙間２０１の寸法Ｓｘ１，Ｓｘ２，Ｓｘ３，Ｓｘ４，Ｓｙ１，Ｓｙ２，Ｓｙ３，Ｓｙ４の測定を終えると、次に、矯正値Ｋｘ，Ｋｙを求める。
これらの矯正値Ｋｘ，Ｋｙは、それぞれ、横方向の矯正値Ｋｘと、縦方向の矯正値Ｋｙとが存在し、これらは、各隙間２０１の寸法からそれぞれ基準値Ｓａを差し引いた数値を合計して矯正値Ｋｘ，Ｋｙを求める。なお、基準値Ｓａは、目標とする隙間寸法である。
Ｋｘ＝（Ｓｘ１−Ｓａ）＋（Ｓｘ２−Ｓａ）＋（Ｓｘ３−Ｓａ）＋（Ｓｘ４−Ｓａ）
Ｋｙ＝（Ｓｙ１−Ｓａ）＋（Ｓｙ２−Ｓａ）＋（Ｓｙ３−Ｓａ）＋（Ｓｙ４−Ｓａ）
なお、畳２０は、相互に密着するように敷設するのが一般的であって、基準値Ｓａは、１ｍｍ未満の僅かな寸法に設定する。
【００２４】
したがって、矯正値Ｋｘ，Ｋｙがプラスの場合、現在の仮枠４０の位置では、現在の隙間の合計が矯正値Ｋｘ，Ｋｙの分だけ大き過ぎることを意味する。すなわち、仮枠４０間の間隔が矯正値Ｋｘ，Ｋｙの分だけ大き過ぎることを意味する。一方、矯正値Ｋｘ，Ｋｙがマイナスの場合は、現在の仮枠４０の位置では、現在の隙間の合計が矯正値Ｋｘ，Ｋｙの分だけ不足することを意味する。すなわち、仮枠４０間の間隔が矯正値Ｋｘ，Ｋｙの分だけ不足することを意味する。
【００２５】
＜畳取外工程（取外工程）＞
畳取外工程は、畳敷設箇所２００に仮置きした畳２０を、全て捨貼合板６０上から取り外す工程である。
【００２６】
＜仮枠取外工程（取外工程）＞
仮枠取外工程は、床下地５０に設置していた仮枠４０を、全て床下地５０から取り外す工程である。
【００２７】
＜捨貼合板再調整工程＞
本実施の形態では、仮枠取外工程の後に、捨貼合板再調整工程を実施するもので、この捨貼合板再調整工程は、捨貼合板６０のうちで、床下地５０に仮置き状態の合板６３〜６５を、矯正値Ｋｘ，Ｋｙに応じて、寸法あるいは設置位置を再調整する工程である。
【００２８】
この工程では、横方向の矯正値Ｋｘがプラスの場合、合板６３及び合板６５の横方向の寸法を矯正値Ｋｘの分（図８において斜線で示す部分）だけカットした後、再び、元の位置に配置して床下地５０に固定具６６（図４参照）を用いて固定する。
一方、横方向の矯正値Ｋｘがマイナスの場合は、合板６３及び合板６５を、仮置きしていた位置から、矯正値Ｋｘの分だけ、合板６２から図８において左方向に離して配置した後、固定具６６（図４参照）を用いて固定する。
【００２９】
また、縦方向の矯正値Ｋｙがプラスの場合、合板６４及び合板６５の縦方向の寸法を矯正値Ｋｙの分（図８において斜線で示す部分）だけカットした後、再び、元の位置に配置して床下地５０に固定具６６（図４参照）を用いて固定する。
一方、矯正値Ｋｙがマイナスの場合は、合板６４及び合板６５を、仮置きしていた位置から、矯正値Ｋｙの分だけ、合板６１〜６３に対して図において縦方向に離して配置した後、固定具６６（図４参照）を用いて固定する。
【００３０】
＜見切材設置工程（畳周辺部材設置工程）＞
見切材設置工程は、畳周辺部材としての見切材３０を、仮枠４０の設置位置に対して矯正値Ｋｘ，Ｋｙに応じた分だけずらして設置する工程である。
【００３１】
この場合、本実施の形態では、基準コーナー部４０ｃを囲む２辺に配置する見切材３０（ａ），３０（ｂ）は、仮枠４０の木桟４１，４２と同一位置に設置する。一方、基準コーナー部４０ｃと対角の対角コーナー部４０ｄを囲む２辺の見切材３０（ｃ），３０（ｄ）は、仮枠４０を構成する木桟４３，４４の設置位置に対して矯正値Ｋｘ，Ｋｙに応じた位置にずらして配置する。
【００３２】
本実施の形態では、この時点で、既に捨貼合板６０の合板６３〜６５の外側縁の位置が仮枠４０の設置位置に対して矯正値Ｋｘ，Ｋｙに応じた分だけずらして配置している。このため、見切材３０を、上記の位置に配置するのにあたり、本実施の形態では、各見切材３０（ａ）（ｂ）（ｃ）（ｄ）を、図９に示すように、捨貼合板６０の外周縁に沿って４周に設置するだけでよい。そして、この状態で、見切材３０の側方から固定具を打って捨貼合板６０の側面に固定するか、あるいは見切材３０の上方から固定具を打って床下地５０に固定する。
なお、図１０に示すように、見切材３０は、直方体の木桟状の部材であって、床下地５０の上に設置した場合に、その上面が、捨貼合板６０の上に設置状態の畳２０の上面と、略同一高さに配置される寸法に形成されている。
【００３３】
＜フローリング材設置工程（畳周辺部材設置工程）＞
フローリング材設置工程は、図１０及び図１１に示すように、見切材３０の外側に沿って、畳周辺部材としてのフローリング材１０を設置する工程である。
【００３４】
フローリング材１０は、図１０に示すように、第２の捨貼合板７０と重ねて床下地５０の上に設置する。なお、第２の捨貼合板７０は、フローリング材１０の設置時に、フローリング材１０の上面が畳２０の上面と略同一高さとなるように、その厚さが設定されている。
また、フローリング材１０と第２の捨貼合板７０との積層は、あらかじめ工場などで行なっていてもよいし、施工現場で行なってもよい。
【００３５】
＜畳本設置工程＞
畳本設置工程は、畳２０を、見切材３０で囲まれた畳敷設箇所２００において捨貼合板６０の上に設置する工程である。
この場合、畳２０は、それぞれ、畳仮置き工程及び隙間測定工程において、畳敷設箇所２００に仮置きした場合と同じ位置に配置する。
【００３６】
また、見切材３０は、畳２０を敷設した際に、畳２０どうしの間及び畳２０と見切材３０との間の隙間２０１の寸法が基準値Ｓａとなるよう配置されている。このため、畳２０の相互間並びに畳２０と見切材３０との隙間２０１を一定寸法とすることができ、畳２０として規格畳を用いながらも高い仕上がり品質を得ることができる。また、畳敷設箇所２００の寸法が不足して畳２０が納まらないという不具合が生じることもない。
したがって、この畳本設置工程の際には、畳２０の置き直し作業や見切材３０の付け替え作業や寸法調節作業などを行う必要が無く、施工性に優れる。
【００３７】
以上説明したように、本実施の形態の建物の床施工方法では、以下に列挙する効果を得ることができる。
１）本実施の形態では、
畳敷設箇所２００の外周を囲んで仮枠４０を設置する仮枠設置工程と、
仮枠４０内に畳２０を仮置きする畳仮置き工程と、
仮置きした畳２０どうしの間の隙間及び畳２０と仮枠４０との間の隙間の寸法を測定し、これらの隙間の寸法から、仮枠４０の設置位置に対する畳敷設箇所２００の外周縁の正規位置を示す矯正値Ｋｘ，Ｋｙを求める隙間測定工程と、
仮置きした畳２０及び仮枠４０を、床下地５０から取り外す畳取外工程及び仮枠取外工程と、
仮枠４０の設置位置と矯正値Ｋｘ，Ｋｙとに基づいて、畳敷設箇所２００の周囲を囲む位置に、畳周辺部材としての見切材３０を設置する見切材設置工程（畳周辺部材設置工程）と、
見切材３０で囲まれた畳敷設箇所２００に畳２０を本設置する畳本設置工程と、
を備えた建物の床施工方法とした。
この床施工方法では、一旦、畳２０を仮置きし、その隙間２０１の寸法Ｓｘ１〜４，Ｓｙ１〜４に基づいて、矯正値Ｋｘ，Ｋｙを求め、この矯正値Ｋｘ，Ｋｙに基づいて見切材３０の設置位置を決定する。
したがって、畳２０の敷設の後に見切材３０を設置する場合と比較して、畳２０どうし及び畳２０と見切材３０との間の隙間２０１が、基準値Ｓａよりも大きくならないようにできる。また、見切材３０を正規位置に配置できるため、畳２０の本敷設の前に見切材３０を固定しても、見切材３０どうしの間隔が狭くなって畳２０を敷設できない不具合も生じることがない。
よって、畳２０として規格畳を用いても、畳２０相互間及び畳２０と見切材３０との隙間が適正値となり、高い仕上がり品質を得ることができる。そして、この際には、畳２０の置き直し作業や見切材３０の付け替え作業や寸法調節作業などを行う必要が無く、施工性に優れる。
【００３８】
２）実施の形態では、隙間測定工程では、畳２０の縦横に沿う方向の間隔である縦方向隙間及び横方向隙間の寸法Ｓｙ，Ｓｘと各隙間２０１の基準値Ｓａとの差を、それぞれ縦方向と横方向とで合計した値を、それぞれ縦方向と横方向の矯正値Ｋｙ，Ｋｘとするようにした。
このように、縦方向及び横方向でそれぞれ隙間２０１の合計値と基準値Ｓａとの差から矯正値Ｋｘ，Ｋｙを決定するようにしたため、畳周辺部材としての見切材３０の正規の設置位置を簡単に求めることができる。そして、これら矯正値Ｋｘ，Ｋｙにより、対向する一対の見切材３０（ａ），３０（ｄ）及び見切材３０（ｂ），３０（ｃ）の正規の間隔を仮枠４０の設置位置を基準に求めることができる。
また、仮枠４０の設置時の位置精度は低くて済みながら、これを基準として、寸法誤差を有した規格品の畳２０に応じた、見切材３０の正規の設置位置を正確に把握することができる。
【００３９】
３）畳仮置き工程では、仮枠４０においてあらかじめ設定されたコーナー部である基準コーナー部４０ｃに近い位置から畳２０を仮置きし、
畳周辺部材設置工程では、基準コーナー部４０ｃを囲む２辺に配置する見切材３０（ａ），３０（ｂ）は、仮枠４０の木桟４１，４２と同一位置に配置し、対角コーナー部４０ｄを囲む残りの２辺に配置する見切材３０（ｃ），３０（ｄ）を、仮枠４０の木桟４３，４４の設置位置に対して矯正値Ｋｘ，Ｋｙの分だけずらして配置するようにした。
このため、位置を調整するのが４本の見切材３０（ａ）〜（ｄ）のうちの２本の見切材３０（ｃ）（ｄ）のみで済むため、４本の見切材３０（ａ）〜（ｄ）の全ての位置を調整するのと比較して、作業性に優れる。
【００４０】
４）仮枠設置工程には、畳敷設箇所２００において床下地５０上に捨貼合板６０を設置する工程が含まれ、
仮枠設置工程では、
まず、仮枠４０の木桟４１，４２を、基準コーナー部４０ｃを囲む２辺に配置し、
次に、捨貼合板６０のうちの合板６１，６２を、２辺の仮枠４０の木桟４１，４２に突き当てて配置し、
さらに、捨貼合板６０の対角コーナー部４０ｄを囲む残りの２辺側では、その外周端縁が畳敷設箇所２００の外周縁に配置されるよう寸法調節を行い、
その後、残りの２辺の位置に配置する仮枠４０（木桟４３，４４）を、捨貼合板６０の前記残りの２辺の外周端縁に当接させて設置し、
畳周辺部材設置工程では、
まず、捨貼合板６０の対角コーナー部４０ｄを囲む２辺の外周端縁位置が、矯正値Ｋｘ，Ｋｙの分だけずらした位置となるように寸法調整あるいは位置調整した後に、捨貼合板６０を床下地５０に固定し、
次に、見切材３０を、捨貼合板６０の外周端縁に当接させて、畳敷設箇所２００を囲む四周に設置するようにした。
このように、見切材３０は、捨貼合板６０の外周端縁に当接させて設置するだけで、矯正値Ｋｘ，Ｋｙに基づいて正規の位置に設置することができ、床下地５０に対する位置を計測や調整しながら設置する作業が不要であり作業性に優れる。
しかも、このような良好な作業性を得るのに、床下地５０に対する畳２０の表面高さを調節する捨貼合板６０を利用しているため、見切材３０の位置を調整するための部材を別途設定するのと比較して、コスト的に有利である。
【００４１】
以上、本発明の実施の形態について説明したが、本発明はこうした実施の形態に限定されるものではなく、本発明の要旨を逸脱しない範囲内において種々の変形及び置換を加えることができる。
【００４２】
例えば、畳を敷設する部屋としては、実施の形態で示した形状、大きさの部屋に限定されるものではない。要は、床下地の上において畳周辺部材により囲まれた枠状の畳敷設箇所に畳を設置するのであれば、本発明の床施工方法を適用できる。
また、実施の形態では、畳として半畳タイプのものを示したが、これに限定されず、一畳タイプのものを用いてもよい。
【００４３】
また、畳周辺部材としては、実施の形態で示した見切材及びフローリング材に限定されるものではなく、例えば、実施の形態で示したフローリング材及び捨貼合板を畳周辺部材とし、実施の形態で示した見切材を介在させることなくこれらフローリング材及び捨貼合板の内周に畳を敷設するようにしてもよい。あるいは、フローリング材を設置することなく見切材のみを設置するようにしてよい。あるいは、実施の形態で示した見切材及びフローリング材以外の部材を畳周辺部材として畳敷設箇所を囲んで設置するようにしてもよい。
【００４４】
また、実施の形態では、畳と床下地との間に捨貼合板を設置する例を示したが、これに限定されず、畳を床下地の上に直接敷設するようにしてもよい。あるいは、畳と床下地との間に、捨貼合板以外の部材（例えば、断熱材やクッション材など）を介在させるようにしてもよい。
【符号の説明】
【００４５】
１０   フローリング材（畳周辺部材）
２０   畳
３０   見切材（畳周辺部材）
４０   仮枠
４０ｃ 基準コーナー部
４０ｄ  対角コーナー部
５０   床下地
６０   捨貼合板
２００ 畳敷設箇所
２０１ 隙間
ＦＬ   床
Ｋｘ，Ｋｙ    矯正値
【図１】
0005792599.tif 000002
【図２】
0005792599.tif 000003
【図３】
0005792599.tif 000004
【図４】
0005792599.tif 000005
【図５】
0005792599.tif 000006
【図６】
0005792599.tif 000007
【図７】
0005792599.tif 000008
【図８】
0005792599.tif 000009
【図９】
0005792599.tif 000010
【図１０】
0005792599.tif 000011
【図１１】
0005792599.tif 000012
【図１２】
0005792599.tif 000013